(57)【特許請求の範囲】
【請求項１】
上方に開放する下ケース内に集塵室と送風機室とを区画する隔壁が設けられ、該隔壁に上方に開放する切欠を形成することにより前記隔壁が第１、第２隔壁に分割され、前記第１、第２隔壁の前記切欠側縁部に上下に延びるリブがそれぞれ形成され、前記第１、第２隔壁の間にサブフィルタを保持する格子部材が挿入保持された電気掃除機であって、
前記格子部材を前記第１、第２隔壁の間に挿入する際に、前記第１、第２隔壁の前記リブの上端に前記切欠側とは反対側に係合当接して、前記第１、第２隔壁の上端部間隔を前記格子部材の幅に狭めさせる案内部が前記格子部材の上部両側にそれぞれ形成されていることを特徴とする電気掃除機。
【発明の詳細な説明】
【０００１】
【発明の属する技術分野】
この発明は、集塵室と送風機室との隔壁にサブフィルタを保持する格子部材が設けられた電気掃除機に関するものである。
【０００２】
【従来の技術】
従来、図１３に示すような電気掃除機が知られている。図１３において、１は電気掃除機本体２の本体ケースで、この本体ケース１は、下ケース３と上ケース４と蓋ケース５とから構成されている。本体ケース１内には、集塵フィルタ(図示せず)を収納した集塵室６と電動送風機７を設けた電動送風機室８とが形成されている。下ケース３には、集塵室６と電動送風機室８との間にサブフィルタＦを支える格子部９を有する支持壁１０と、この支持壁１０の後方（図１３において右側）に集塵室６を負圧に保つための隔壁１１とが設けられている。また、上ケース４が電動送風機室８を覆うとともに、蓋ケース５が集塵室６を覆っている。
【０００３】
そして、電動送風機７の図示せぬ電動モータが遠心ファン（図示せず）を回転させると、集塵室６に図示しないホースを介して連通した吸込口体(図示せず)から空気と塵埃とが吸引され、集塵室６の集塵フィルタに塵埃が集塵される。そして、集塵室６内に吸引された空気が電動モータ内および電動送付機室８を通って上ケース４の排気口４Ａから排気されていく。
【０００４】
【発明が解決しようとする課題】
しかしながら、上述の電気掃除機にあっては、本体ケース１の下ケース３に支持壁１０の格子部９をＰＰ樹脂による射出成形によって一体成形して製作するものがあった。この場合、格子部９の格子穴９ａを成形するには、格子穴９ａを形成する移動金型が事前に格子部９に挿入され、射出成形後、格子部９が完全に冷却されたのちに、移動金型を例えば図１３の左方向に引き抜くようにしていた。
このため、射出成形後、格子部９が冷却されるまでは、移動金型を引き抜くことができず、下ケース３の製造工程が長くなってしまう問題があった。
【０００５】
そこで、下ケース３の支持壁１０に別途射出成形により製作した格子部材９を取り付けることが考えられていた。この場合、支持壁１０が変形して格子部材９が取り付けられないとの問題があった。
【０００６】
そこで、この発明の目的は、変形した支持壁に別製作の格子部材が取付けられる電気掃除機を提供することにある。
【０００７】
【課題を解決するための手段】
この目的を達成するため、請求項１の発明は、上方に開放する下ケース内に集塵室と送風機室とを区画する隔壁が設けられ、該隔壁に上方に開放する切欠を形成することにより前記隔壁が第１、第２隔壁に分割され、前記第１、第２隔壁の前記切欠側縁部に上下に延びるリブがそれぞれ形成され、前記第１、第２隔壁の間にサブフィルタを保持する格子部材が挿入保持された電気掃除機であって、
前記格子部材を前記第１、第２隔壁の間に挿入する際に、前記第１、第２隔壁の前記リブの上端に前記切欠側とは反対側に係合当接して、前記第１、第２隔壁の上端部間隔を前記格子部材の幅に狭めさせる案内部が前記格子部材の上部両側にそれぞれ形成されていることを特徴とする。
【０００９】
【発明の実施の形態】
以下、この発明に係る電気掃除機の実施の形態を図面に基づいて説明する。
【００１０】
図１および図２において、２０は電気掃除機本体２１の本体ケースであり、この本体ケース２０内には、集塵フィルタ(図示せず)を収納した集塵室２２と、この集塵室２２と連通した風路２３と、電動送風機２４を設けた送風機室２５と、コードリール(図示せず)を設けたコードリール室２９とが形成されている。送風機室２５は電動送風機２４の内部を介して風路２３と連通している。本体ケース２０は、下ケース２６と上ケース２７と蓋ケース２８とから構成され、蓋ケース２８は集塵室２２の上部を覆っており、蓋ケース２８に形成した垂下壁２８Ａと下ケース２６に形成した隔壁５０とで集塵室２２を区画形成している。
【００１１】
風路２３は隔壁５０によって集塵室２２から区画され、風路２３と送風機室２５とは区画壁４０によって区画されている。また、上ケース２７には区画壁３１が形成され、この区画壁３１によって回路基板３２を設けた制御室３３が形成され、送風機室２５と制御室３３とが区画壁３１によって区画されている。
【００１２】
上ケース２７の後部壁３４には排気口３５が形成され、この排気口３５を介して送風機室２５と外気とが連通されている。排気口３５の前面（図１において左側）には排気フィルタ３６が取り付けられている。
【００１３】
区画壁４０は、図３に示すように、下ケース２６に形成された下隔壁部４１と、上ケース２７に形成された上隔壁部４２とから構成され、下隔壁部４１にはＵ字状の切欠４１Ａが形成されている。上隔壁部４２には湾曲した切欠４２Ａが形成され、切欠４１Ａと切欠４２Ａとで区画壁４０の開口４３を形成している。下隔壁部４１の上端部にはシール部材４４,４５が取り付けられており、このシール部材４４,４５に下隔壁部４１の下端部が当接していて、下隔壁部４１と上隔壁部４２との間がシールされている。
【００１４】
電動送風機２４は、図示しない遠心ファンとこの遠心ファンを回転させる電動モータとから構成され、電動送風機２４の後部２４Ａが下ケース２６に形成された支持壁Ｊ1と上ケース２７に形成された支持壁Ｊ2とによって保持されている。また、電動送風機２４の遠心ファンケース部２４Ｂがシール部材４７によって保持されている。
【００１５】
また、シール部材４７は、区画壁４０と遠心ファンケース部２４Ｂとの間に介在しており、このシール部材４７によって風路２３と送風機室２５とが気密状態に区画されている。
【００１６】
隔壁５０には、サブフィルタ５１（図１参照）を保持した格子部材７０が着脱可能に取り付けられる略四角形状の切欠５２（図５参照）が形成されている。
【００１７】
隔壁５０は、図４および図５に示すように、第１,第２隔壁５３,５４と、この第１,第２隔壁５３,５４の下部に連続形成された連結壁部５５とから構成されている。第１,第２隔壁５３,５４の前面５３a,５４aには上下方向に延びた複数の補強リブ５６〜６１が形成され、補強リブ５６〜６１の上端部には突起５６a〜６１a（図６参照）が形成されている。
【００１８】
第１隔壁５３の裏面５３bには、上下方向に延びた補強リブ６２,６３と、図６に示すように上下方向に延びるとともに下隔壁部４１の側端部に連設された連設壁６４とが形成されている。
【００１９】
格子部材７０は、図７および図８に示すように、４角形状の枠体７１と、この枠体７１内に格子を形成した格子部７２とを有しており、枠体７１内にはサブフィルタ５１が配置される。このサブフィルタ５１は枠体７１および格子部７２とで保持される。
【００２０】
枠体７１は、両側の枠部材７１Ａ,７１Ｂと、下部の枠部材７１Ｃと、上部の枠部材７１Ｄとから構成され、枠部材７１Ａ,７１Ｂの外側面には上下方向に延びたリブ７３,７４が形成されている。枠部材７１Ａ,７１Ｂの外側面７１a,７１bが第１,第２隔壁５３,５４の側端面５３Ｓ,５４Ｓに当接するとともに、リブ７３,７４の前面７３a,７４aが第１,第２隔壁５３,５４の裏面５３Ｒ,５４Ｒに当接するようになっている。また、リブ７３の側面７３bは連設壁６４の側面６４aに当接するようになっている。
【００２１】
枠部材７１Ａ,７１Ｂの下部には、下方に行くほど枠部材７１Ａ,７１Ｂ間の幅が狭くなるようにテーパ７１t,７１t（案内部）が形成されており、同様にリブ７３,７４の下部にもテーパ７３t,７４tが形成されている。枠部材７１Ａの後端面には、後方に延びるとともに上下方向に延びた補強リブ７５と後方に延びた補強リブ７６とが形成され、補強リブ７５の下部には傾斜した案内面７５aが形成されている。また、枠部材７１Ｂの後端面には後方に延びるとともに上下方向に延びた補強リブ７７が形成され、補強リブ７７の下部には上記と同様に傾斜した案内面７７aが形成されている。
【００２２】
補強リブ７５〜７７は、格子部材７０を隔壁５０に取り付けた際に、図３の破線で示すように区画壁４０の下隔壁部４１と上隔壁部４２に当接して、区画壁４０が集塵室側へ変形するのを防止するものである。
【００２３】
枠部材７１Ｄの前面には左右に延びたアーム部材８０が連続形成され、アーム部材８０は、枠部材７１の右端（図７において）から右方向に延びて第１隔壁５３の上部の前面に当接する第１アーム部８１と、枠部材７１の左端（図７において）から左方向に延びて第２隔壁５４の上部の前面に当接する第２アーム部８２とを有している。第１,第２アーム部８１,８２には補強リブ５６〜６１の突起５６a〜６１aに係合する凹部８１a〜d,８２a,bが設けられている。
【００２４】
また、第１アーム部８１には、下方に延びるとともに第１隔壁５３の前面５３aに当接する当接板部８４が形成され、この当接板部８４の左側（図７において）の下部には傾斜した案内部８４Ａが形成され、この案内部８４Ａの上端から上方に延びるとともに補強リブ５６の側面５６Ａに当接する当接部８５が形成されている。同様に、第２アーム部８２にも第２隔壁５４の前面５４aに当接する当接板部８６が形成され、この当接板部８６の右側（図７において）の下部には傾斜した案内部８６Ａが形成され、この案内部８６Ａの上端から上方に延びるとともに補強リブ６０の側面６０Ａに当接する当接部８７が形成されている。
【００２５】
格子部材７０を隔壁５０に取り付けるには、図５および図６に示すように、第１隔壁５３と第２隔壁５４との間に矢印で示すように差し込んでいく。このとき、図１１に示すように、格子部材７０のリブ７３,７４の前面７３a,７４aを第１,第２隔壁５３,５４の裏面５３Ｒ,５４Ｒに当接させ、リブ７３の側面７３bを連設壁６４の側面６４aに当接させるとともに、枠部材７１Ａ,７１Ｂの外側面７１a,７１bを第１,第２隔壁５３,５４の側端面５３Ｓ,５４Ｓに当接させて差し込む。
【００２６】
ここで、下ケース２６などはＰＰ樹脂からなり射出成形により成形するが、この成形後の型抜きの際に下ケースが変形して第１,第２隔壁５３,５４間の幅が狭まったり、広がったりする場合がある。
【００２７】
その幅が狭まった場合、枠部材７１Ａ，７１Ｂの下部にテーパ７１ｔ，７１ｔが形成されているので、枠部材７１Ａ，７１Ｂの下部を第１，第２隔壁５３，５４間に差し込むことができる。そして、格子部材７０を押し込むことにより、第１，第２隔壁５３，５４間を強制的に押し広げて格子部材７０を切欠５２に取り付けることができる。
【００２８】
ところで、格子部材７０はＡＢＳ樹脂で構成することにより、射出成形後の型抜きの際に変形してしまうことがない。このため、格子部材７０の寸法精度を確保することができ、このため、格子部材７０を第１,第２隔壁５３,５４間に押し込むことにより、第１,第２隔壁５３,５４間の幅を所定寸法に矯正して下ケース２６の変形を矯正することができる。
【００２９】
また、図９および図１０に示すように、格子部材７０が隔壁５０に取り付けられると、図１２に示すように、格子部材７０の第１,第２アーム部８１,８２の凹部８１a〜d,８２a,bが補強リブ５６〜６１の突起５６a〜６１aに係合する。他方、当接板部８４,８６が図１１に示すように第１,第２隔壁５３,５４の前面に当接するとともに、当接板部８４,８６の当接部８５,８７が補強リブ５６,６０の側面５６Ａ,６０Ａに当接するが、当接板部８４,８６の下部に案内部８４Ａ,８６Ａが形成されているので、下ケース２６の変形により第１,第２隔壁５３,５４間が広がっている場合でも、補強リブ５６,６０が案内部８４Ａ,８６Ａによって案内されて補強リブ５６,６０の側面５６Ａ,６０Ａが当接部８５,８７に当接される。
【００３０】
すなわち、下ケース２６の変形により第１,第２隔壁５３,５４間が広がっている場合には、強制的に第１,第２隔壁５３,５４間を狭めることにより下ケース２６の変形を矯正しながら格子部材７０が隔壁５０に取り付けられる。
【００３１】
また、図９および図１０に示すように、格子部材７０が隔壁５０に取り付けられると、第１アーム部８１が第１隔壁５３の上部の前面５３aに当接し、第２アーム部８２が第２隔壁５４の上部の前面５４aに当接する。そして、第１,第２アーム部８１,８２の凹部８１a〜d,８２a,bが補強リブ５６〜６１の突起５６a〜６１aに係合する（図１２参照）。
【００３２】
さらに、図３および図１１に示すように、枠部材７１Ａ,７１Ｂの補強リブ７５〜７６が区画壁４０の下隔壁部４１と上隔壁部４２に当接する。ところで、補強リブ７５〜７７は隔壁５０と区画壁４０との間へ挿入するが、補強リブ７５〜７７の下部には傾斜した案内面７５a〜７７aが形成されているので、その挿入は大変行い易いものとなる。
【００３３】
格子部材７０の取り付けが終了したら、シール部材９０を隔壁５０の上部に取り付け、蓋ケース２８および上ケース２７を取り付けて本体ケース２０を組み付ける。
【００３４】
そして、ホース接続口９１に図示しないホースを接続するとともに、このホースに図示しない延長管を介して吸込口体(図示せず)を接続し、電動送風機２４を作動させる。電動送風機２４の作動により、集塵室２２が負圧となって吸込口体から塵埃が吸引され、集塵フィルタ(図示せず)に塵埃が集塵されていく。
【００３５】
集塵室２２の負圧により、電動送風機２４がシール部材４７を介して区画壁４０を集塵室２２側へ押圧する状態となっても、枠部材７１Ａ,７１Ｂの補強リブ７５〜７７が区画壁４０の下隔壁部４１と上隔壁部４２に当接しているので、区画壁４０の変形は防止される。このため、下隔壁部４１と上隔壁部４２との間のシール性が保たれ、集塵室２２の気密性が保たれる。この結果、塵埃の吸引効率が低下してしまうことが防止される。
【００３６】
【発明の効果】
以上説明してきたように、請求項１の発明は、上方に開放する下ケース内に集塵室と送風機室とを区画する隔壁が設けられ、この隔壁の上方に開放する切欠が形成され、この切欠によって分割形成された第１、第２隔壁の切欠側縁部に上下に延びるリブがそれぞれ形成され、第１、第２隔壁の間にサブフィルタを保持する格子部材が挿入する際に、第１、第２隔壁の上端部間の間隔が格子部材の幅より広い場合にはリブの上端に切欠側とは反対側に係合当接して、第１、第２隔壁の上端部間隔を格子部材の幅に狭めさせる案内部が格子部材の上部両側にそれぞれ形成されているので、第１、第２隔壁の上端部間の間隔が格子部材の幅より広くなっても切欠に格子部材を挿入できる。
【図面の簡単な説明】
【図１】この発明に係る電気掃除機本体の構成を示した断面図である。
【図２】図１の電気掃除機本体の上ケースおよび蓋ケースを取り外した状態を示した平面図である。
【図３】図１の電気掃除機本体の隔壁の構造を示した説明図である。
【図４】隔壁に格子部材を取り付ける前の状態を示した平面図である。
【図５】隔壁に格子部材の取付方を示した正面図である。
【図６】隔壁に格子部材の取付方を示した断面図である。
【図７】格子部材を示す図で、（Ａ）は背面図、（Ｂ）は側面図、（Ｃ）は平面図である。
【図８】格子部材を示した正面図である。
【図９】隔壁に格子部材とシール部材とを取り付けた状態を示した断面図である。
【図１０】隔壁に格子部材を取り付けた状態を示した正面図である。
【図１１】隔壁のリブと格子部材のリブとの係合関係を示した断面図である。
【図１２】格子部材のアーム部の取付状態を示した説明図である。
【図１３】従来の電気掃除本体の構成を示した説明図である。
【符号の説明】
２２…集塵室
２５…送風機室
２６…下ケース
５０…隔壁
５１…サブフィルタ
５２…切欠
５３…第１隔壁
５４…第２隔壁
５６，６０…リブ
７０…格子部材
８４Ａ，８６Ａ…案内部
【図１】
0003660093.tif 000002
【図２】
0003660093.tif 000003
【図３】
0003660093.tif 000004
【図４】
0003660093.tif 000005
【図５】
0003660093.tif 000006
【図６】
0003660093.tif 000007
【図７】
0003660093.tif 000008
【図８】
0003660093.tif 000009
【図９】
0003660093.tif 000010
【図１０】
0003660093.tif 000011
【図１１】
0003660093.tif 000012
【図１２】
0003660093.tif 000013
【図１３】
0003660093.tif 000014